(57)【要約】【課題】前輪補助舵角付与手段、後輪補助舵角付与手段及びブレーキ装置を備えた車両用舵角制御装置において、低速時の応答性の向上を図り、車両の挙動を安定に制御可能な車両用舵角制御装置を提供すること。【解決手段】前輪補助舵角付与手段、後輪補助舵角付与手段及びブレーキ装置を備えた車両用舵角制御装置において、舵角制御手段に、算出された前後輪補助舵角を車速が低いほど小さくする補助舵角補正部と、算出された前後輪補助舵角と補正された補助舵角との偏差を補償するブレーキ液圧を算出する偏差補償ブレーキ液圧算出部とを設けたこととした。【選択図】        図６
2004148890.tif 000002
【特許請求の範囲】
【請求項１】
ハンドル操舵角を検出するハンドル操舵角検出手段と、
車速を検出する車速検出手段と、
前輪に補助舵角を付与する前輪補助舵角付与手段と、
後輪に補助舵角を付与する後輪補助舵角付与手段と、
運転者のブレーキペダル操作により油圧を発生するマスタシリンダ及び任意の油圧を発生可能なオイルポンプを油圧源とし、車両各輪のホイルシリンダのブレーキ圧力を任意に制御可能なブレーキ手段と、
検出されたハンドル操舵角及び車速に基づいて車両モデルから前輪補助舵角，後輪補助舵角及び各輪のブレーキ液圧を算出し、前記前輪補助舵角付与手段，後輪補助舵角付与手段及びブレーキ手段に指令信号を出力する舵角制御手段と、
を備えた車両用舵角制御装置において、
前記舵角制御手段に、算出された前後輪補助舵角を車速が低いほど小さくする補助舵角補正部と、算出された前後輪補助舵角と補正された補助舵角との偏差を補償するブレーキ液圧を算出する偏差補償ブレーキ液圧算出部とを設けたことを特徴とする車両用舵角制御装置。
【発明の詳細な説明】
【０００１】
【発明の属する技術分野】
本発明は、前輪への操舵入力時等に前輪及び後輪に補助舵角を与える前後輪操舵制御装置と、車両各輪のブレーキ液圧を制御することで、車両の挙動制御を行うブレーキ装置を備えた車両用舵角制御装置に関する。
【０００２】
【従来の技術】
従来から、前後輪共に補助操舵を行うと共に、ブレーキ制御を併用して車両の挙動を制御する技術が提案されている（特許文献１参照）。この従来技術では、検出されたハンドル操舵角に基づくフィードフォワード項と検出されたヨーレイトに基づくフィードバック項との加算値により前後輪に補助舵角を与えると共に、補助操舵量が所定値以上の領域でのみ、左右制動力差制御（ブレーキ制御）を行うよう構成されている。
【０００３】
【特許文献１】
特開平５−１８５８０１号公報（第７頁段落番号（００４１））
【０００４】
【発明が解決しようとする課題】
しかしながら、上述の車両用舵角制御装置にあっては、高速走行時の安定性は、後輪操舵機能で向上するが、低速走行時も後輪舵角が飽和するまで、４輪ブレーキ制御機能が使われない。よって、低速時の応答性を改善するには、後輪操舵アクチュエータの応答性向上を必要とするが、応答性の良いアクチュエータは大型化やコストアップを招くという問題があった。
【０００５】
本発明は、上述の課題に鑑み、前輪補助舵角付与手段、後輪補助舵角付与手段及びブレーキ装置を備えた車両用舵角制御装置において、低速時の応答性の向上を図り、車両の挙動を安定に制御可能な車両用舵角制御装置を提供することを目的とする。
【０００６】
【課題を解決するための手段】
上記目的を達成するため、ハンドル操舵角を検出するハンドル操舵角検出手段と、車速を検出する車速検出手段と、前輪に補助舵角を付与する前輪補助舵角付与手段と、後輪に補助舵角を付与する後輪補助舵角付与手段と、運転者のブレーキペダル操作により油圧を発生するマスタシリンダ及び任意の油圧を発生可能なオイルポンプを油圧源とし、車両各輪のホイルシリンダのブレーキ圧力を任意に制御可能なブレーキ手段と、検出されたハンドル操舵角及び車速に基づいて車両モデルから前輪補助舵角，後輪補助舵角及び各輪のブレーキ液圧を算出し、前記前輪補助舵角付与手段，後輪補助舵角付与手段及びブレーキ手段に指令信号を出力する舵角制御手段と、を備えた車両用舵角制御装置において、前記舵角制御手段に、算出された前後輪補助舵角を車速が低いほど小さくする補助舵角補正部と、算出された前後輪補助舵角と補正された補助舵角との偏差を補償するブレーキ液圧を算出する偏差補償ブレーキ液圧算出部とを設けたことで、上記課題を解決するに至った。
【０００７】
【発明の作用】
本願発明にあっては、車速が低いほど後輪補助舵角及び前輪補助舵角を小さくし、その分をブレーキ液圧制御によって補償することで、低車速域において車両挙動制御の応答性を向上することができる。
【０００８】
【発明の実施の形態】
以下、本発明における車両用操舵制御装置の実施形態について実施例をもとに説明するが、本発明は実施例に限定されるものではない。
【０００９】
（第１実施例）
本発明の車両用操舵制御装置は、前後輪に補助舵角を与える前後輪補助舵角制御装置と、４輪のブレーキ力を制御することで車両挙動を制御するブレーキ制御装置が備えられている。まず、ブレーキ制御装置について説明する。
【００１０】
図１はブレーキ制御装置の全体図、図２はブレーキ油圧制御アクチュエータの油圧回路図である。まず、その構造について説明する。４輪のそれぞれに制動力を発生させるホイルシリンダ４１Ｌ，４１Ｒ，４２Ｌ，４２Ｒは、２系統のブレーキ配管（Ｐ系統及びＳ系統）を介してマスタシリンダ４４に接続されている。そして、Ｐ系統及びＳ系統の途中には、ブレーキアクチュエータ３９が設けられている。
【００１１】
前記ブレーキアクチュエータ３９は、図２の油圧回路図に示すように、各ホイルシリンダ４１Ｌ，４１Ｒ，４２Ｌ，４２Ｒの液圧を増圧・保持・減圧可能な液圧制御バルブ（ＩＮバルブ４７，４９，５３，５５及びＯＵＴバルブ４８，５０，５４，５６）と、マスタシリンダ４４とは別途設けられ、モータ６１により駆動する制御用油圧源（Ｐ系統ポンプ５７，Ｓ系統ポンプ５８）の接続を切り換える油圧供給源切り換えバルブ（Ｐ系統カットバルブ４５，Ｐ系統吸入バルブ４６，Ｓ系統カットバルブ５２，Ｓ系統吸入バルブ５１）と、リザーバ５９，６０を備えている。
【００１２】
運転者がブレーキペダル４３を操作してマスタシリンダ４４に油圧が発生すると、このマスタシリンダ圧をホイルシリンダ４１Ｌ，４１Ｒ，４２Ｌ，４２Ｒに供給する通常ブレーキ状態と、運転者がブレーキ操作を行っていない時、もしくは運転者のブレーキ操作以上に液圧が必要な時に、制御用油圧源５７，５８の液圧をホイルシリンダ４１Ｌ，４１Ｒ，４２Ｌ，４２Ｒに向けて供給すると共に、各液圧制御バルブによりホイルシリンダ圧を最適制御する制御ブレーキ状態とに切り換え可能に構成されている。
【００１３】
ここで、Ｐ系統についてホイルシリンダ４１Ｒの圧力を制御したい場合について説明する。Ｐ系統ポンプ５７による増圧時は、Ｐ系統吸入バルブ４６を開き、Ｐ系統ポンプ５７にブレーキ液を供給する。そして、Ｐ系統カットバルブ４５及び他輪のＩＮバルブ４９を閉じ、ブレーキ液の他系統への回り込みを抑止することで行われる。この状態での減圧時は、Ｐ系統吸入バルブ４６を閉じ、Ｐ系統カットバルブ４５を開放することによりホイルシリンダ液がマスタシリンダ側に流出することで行われる。マスタシリンダ４４による増圧では、Ｐ系統カットバルブ４５を開放し、Ｐ系統吸入バルブ４６を遮断し、ＩＮバルブ４７，４９を開放し、マスタシリンダ液量をホイルシリンダ側に流入することで行われる。減圧時は、ＩＮバルブ４７，４９を遮断し、ＯＵＴバルブ４８，５０を開放し、ホイルシリンダ液をリザーバ５９側に流出することで行われる。
【００１４】
図３は第１実施例における前後輪補助操舵制御装置の基本構成を示す全体システム図である。
【００１５】
車両の前輪１Ｌ，１Ｒには、ハンドル２への操舵入力に基づき左右の前輪操舵機構３Ｌ，３Ｒを介して前輪１Ｌ，１Ｒを操舵するステアリングユニット４が設けられている。更に、前輪操舵アクチュエータ３７としてステアリングユニット４のラックチューブ（車体５に弾性体６を介して支持）をストロークさせることで前輪１Ｌ，１Ｒに補助舵角を与える前輪側油圧シリンダ７が設けられている。また、後輪操舵アクチュエータ３８として、後輪８Ｌ，８Ｒには、左右の後輪操舵機構９Ｌ，９Ｒを介して後輪８Ｌ，８Ｒに補助舵角を与える後輪側油圧シリンダ１０が設けられている。
【００１６】
前輪側油圧シリンダ７及び後輪側油圧シリンダ１０は、共通の油圧源ユニット１１を油圧源としている。この油圧源ユニット１１から前輪側フェールセーフバルブ１２及び前輪側サーボバルブ１３を介して制御圧を与えることで前輪側油圧シリンダ７が駆動する。また、油圧源ユニット１１から後輪側フェールセーフバルブ１４及び後輪側サーボバルブ１５を介して制御圧を与えることで後輪側油圧シリンダ１０が駆動する。尚、油圧源ユニット１１には、エンジン１６により駆動される油圧ポンプ１１ａ，アンロードバルブ１１ｂ，圧力スイッチ１１ｃ，アキュムレータ１１ｄ，リザーバ１１ｅから構成され、一定圧の作動油を供給する。
【００１７】
前輪側フェールセーフバルブ１２及び後輪側フェールセーフバルブ１４は、操舵制御コントローラ３０の指令に基づいてＯＮ／ＯＦＦの２位置が切り換えられる。また、前輪側サーボバルブ１３及び後輪側サーボバルブ１５は、操舵制御コントローラ３０からサーボアンプ１８，１９を介した指令に基づいて右操舵，保持，左操舵の３位置が切り換え制御される。
【００１８】
操舵制御コントローラ３０には、車両の実車速Ｖを検出する車速センサ２０（車速検出手段に相当），パルスエンコーダ等を用いて運転者の操舵角度θを検出する操舵角センサ２１（ハンドル操舵角検出手段に相当），エンジン回転数センサ２３，前輪側変位センサ２４，後輪側変位センサ２５，マスタシリンダ圧センサ２６，ホイルシリンダ圧センサ２７からの検出信号が入力される。これらの入力信号に基づいて、前輪補助舵角、後輪補助舵角及びブレーキ液圧を演算し、各アクチュエータに対して指令信号を出力する。以下、操舵制御コントローラ３０の構成について説明する。
【００１９】
図４は操舵制御コントローラ３０の構成を表すブロック図である。操舵制御コントローラ３０は、目標値生成部３１、目標出力値生成部３２、前輪操舵コントローラ３４、後輪操舵コントローラ３５及びブレーキコントローラ３６から構成されている。
【００２０】
目標値生成部３１は、図５の目標値生成部３１の構成を表すブロック図に示すように、車両モデル演算部３１１と目標値演算部３１２から構成されている。
車両モデル演算部３１１は、操舵角度θと車体速Ｖから２輪モデルを用いて車両パラメータを演算する。車両パラメータの演算については後で詳細に説明する。
目標値演算部３１２は、操舵角度θ、車体速Ｖ及び車両パラメータから、車両の目標ヨーレイトψ’＊と目標横速度Ｖ＊ｙを決定する。
【００２１】
目標出力値生成部３２は、図６の目標出力値生成部３２の構成を表すブロック図に示すように、目標後輪舵角演算部３２１，目標前輪舵角演算部３２２，及び目標ブレーキ液圧演算部３２３から構成されている。
【００２２】
目標後輪舵角演算部３２１は、車両の目標ヨーレイトψ’＊と目標横速度Ｖ＊ｙから目標後輪舵角δ＊を決定し、車速に応じて制限した値を出力する。
目標前輪舵角演算部３２２は、車両の目標ヨーレイトψ’＊，目標横速度Ｖ＊ｙ及び目標後輪舵角δ＊から目標前輪舵角θ＊を決定する。
【００２３】
目標ブレーキ液圧演算部３２３は、車両の目標ヨーレイトψ’＊，目標横速度Ｖ＊ｙ，目標後輪舵角δ＊及び目標前輪舵角θ＊から目標ブレーキ液圧Ｐ＊ｂｒ（４輪分）を決定する。
【００２４】
前輪操舵コントローラ３４は、前輪側変位センサ２４から検出された前輪の実舵角が目標前輪舵角θ＊と一致するように前輪操舵アクチュエータ３７を制御する。
【００２５】
後輪操舵コントローラ３５は、後輪側変位センサ２５から検出された後輪の実舵角が目標前輪舵角δ＊と一致するように後輪操舵アクチュエータ３８を制御する。
【００２６】
ブレーキコントローラ３６は、マスタシリンダ圧センサ２６及びホイルシリンダ圧センサ２７から検出されたマスタシリンダ圧及び各輪のホイルシリンダ圧を各輪の目標ブレーキ液圧Ｐ＊ｂｒと一致するようにブレーキアクチュエータ３９を制御する。
【００２７】
〔車両モデル演算部３１１における車両モデル演算〕
車両モデル演算部３１１は、以下に示す車両モデルから、車両パラメータを演算する。
一般に、２輪モデルを仮定すると、車両のヨーレイトと横速度は、下記式１で表せる。
（式１）
2004148890.tif 000003
ここで、
2004148890.tif 000004
（式２）
2004148890.tif 000005
である。
【００２８】
状態方程式より前輪操舵に対するヨーレイト、横速度の伝達関数を求めると、下記式（３）及び式（４）で表される。
（式３）
2004148890.tif 000006
（式４）
2004148890.tif 000007
となる。
2004148890.tif 000008
【００２９】
ヨーレイト伝達関数は、式３より下記式（５）と表される。
（式５）
2004148890.tif 000009
ここで、
（式６）
2004148890.tif 000010
【００３０】
同様に横速度伝達関数は、式４より下記式７と表される。
（式７）
2004148890.tif 000011
ここで、
（式８）
2004148890.tif 000012
【００３１】
以上から、車両パラメータ
2004148890.tif 000013
が求められる。
【００３２】
〔目標値演算部３１２における目標値演算〕
目標値演算部３１２における車速、車両パラメータと後述する目標値パラメータから目標ヨーレイトと目標横速度を求める。
【００３３】
目標ヨーレイトは、式５から下記式９により表される。
（式９）
2004148890.tif 000014
【００３４】
目標横速度は、式７から下記式１０により表される。
（式１０）
2004148890.tif 000015
【００３５】
ここで、目標ヨーレイトのパラメータは、下記式１１で表される。
（式１１）
2004148890.tif 000016
ただし、ｙｒａｔｅ＿ｇａｉｎ＿ｍａｐ，ｙｒａｔｅ＿ｏｍｅｇｎ＿ｍａｐ，ｙｒａｔｅ＿ｚｅｔａ＿ｍａｐ，ｙｒａｔｅ＿ｚｅｒｏ＿ｍａｐはそれぞれ図７，図８，図９及び図１０に示す車速に応じて設定されたマップから算出されるチューニングパラメータである。
【００３６】
また、目標横速度のパラメータは、下記式１２で表される。
（式１２）
2004148890.tif 000017
ただし、ｖｙ＿ｇａｉｎ＿ｍａｐ，ｖｙ＿ｏｍｅｇｎ＿ｍａｐ，ｖｙ＿ｚｅｔａ＿ｍａｐ，ｖｙ＿ｚｅｒｏ＿ｍａｐはそれぞれ図１１，図１２，図１３及び図１４に示す車速に応じて設定されたマップから算出されるチューニングパラメータである。
【００３７】
〔目標出力値生成部３２における目標操舵角演算〕
（目標後輪舵角演算部３２１における目標後輪舵角演算）
目標ヨーレイト，目標横速度から目標後輪舵角δ＊を算出する。ここで、式１の２輪モデルから、下記式１３を得る。
（式１３）
2004148890.tif 000018
このモデルから下記式１４を得る。
（式１４）
2004148890.tif 000019
よって、目標後輪舵角δ＊は、下記式１５により表される。
（式１５）
2004148890.tif 000020
【００３８】
この算出された目標後輪舵角δ＊に、後輪操舵制御とブレーキ制御の配分を決める係数ｋを乗じた値（下式１６）を最終的な目標後輪舵角δ＊Ｃとする。
（式１６）
2004148890.tif 000021
尚、図１５に示す後輪操舵制御比率マップから係数ｋの値を決定する。
（式１７）
2004148890.tif 000022
【００３９】
ただし、一般に後輪舵角には操舵角度に制限があるため、補正後目標後輪舵角を下記式により上限付きの値として下記式１８から得られる値とする。
（式１８）
2004148890.tif 000023
ここで、δ＊ｍａｘは、後輪最大操舵角とする。
【００４０】
（目標前輪舵角演算部３２２における目標前輪舵角演算）
目標ヨーレイト、横速度、制限された目標後輪舵角δ＊ｌｉｍから目標前輪舵角θ＊を算出すると、下記式１９により表される。
（式１９）
2004148890.tif 000024
【００４１】
（目標ブレーキ液圧演算部３２３における目標ブレーキ液圧演算）
目標ヨーレイト，横速度，制限された目標後輪舵角δ＊ｌｉｍ及び目標前輪舵角θ＊から、各輪の目標ブレーキ液圧Ｐ＊ｂｒを算出する。
目標ヨーレイトψ’＊と、制限された目標後輪舵角δ＊ｌｉｍを前提に計算された、制限された目標ヨーレイトψ’＊ｌｉｍとの差分Δψ’＊を補正するために、４輪のブレーキを使用する。ここで、差分Δψ’＊は下記式２０により表される。
（式２０）
2004148890.tif 000025
よって、目標ブレーキ液圧は下記式（２１）により表される値となる。
（式２１）
2004148890.tif 000026
ここで、
2004148890.tif 000027
である。
【００４２】
図１６は目標出力生成部の制御内容を表すフローチャートである。
ステップＳ１では、目標ヨーレイトψ’＊及び目標横速度Ｖ＊ｙを読み込む。
ステップＳ２では、目標後輪舵角δ＊を演算する。
ステップＳ３では、車速から係数ｋを演算する。
ステップＳ４では、最終的な目標後輪舵角を演算する。
ステップＳ５では、目標後輪舵角にリミッタ処理を施す。
ステップＳ６では、目標前輪舵角演算θ＊を行う。
ステップＳ７では、目標ブレーキ液圧Ｐ＊ｂｒを演算する。
ステップＳ８では、操舵制御を実行する。
【００４３】
以上説明したように、本実施の形態では、後輪操舵機能とブレーキ制御機能を速度に応じて適切に配分することにより、低速走行時には後輪操舵制御よりもブレーキ制御を優先させることで、車両の応答性を改善することができる。
【００４４】
図１７は従来構成に基づいたシミュレーション結果を表す図、図１８，１９は上記本発明の構成に基づいたシミュレーション結果を表す図である。
【００４５】
図１７に示すように、車速１２０ｋｍ／ｈ、操舵角を図１７（ａ）に示す±１２０ｄｅｇ、０．５Ｈｚで与えた場合、目標ヨーレイトは図１７（ｂ）に示すようになる。このとき、ブレーキ制御を行わず、前後輪補助舵角付与のみで対応した場合、図１７（ｃ）の目標後輪舵角のグラフに示すように、目標後輪舵角に対する実後輪舵角は応答性が遅いため、目標ヨーレイトの発生に対する発生ヨーレイトは応答遅れが顕著である。
【００４６】
これに対し、図１８（ａ），（ｂ）に示すように、走行条件及び操舵条件を同様に行った場合に、図１８（ｃ）に示すように前後輪補助舵角付与を小さくし、図１９に示すように目標補助舵角と小さくした補助舵角との偏差を補償するようにブレーキ制御を行った。これによって、図１８（ｂ）に示す目標ヨーレイトに対する発生ヨーレイトの応答性が向上しているのが分かる。すなわち、従来制御では低速時に補助舵角付与によってのみ制御していたため応答性が悪化していたが、補助舵角量を小さくし、その分をブレーキ制御により補償することで、応答性の向上を図ることができる。
【図面の簡単な説明】
【図１】第１実施例におけるブレーキ装置の基本構成を表す概略図である。
【図２】第１実施例におけるブレーキ装置の油圧回路を表す回路図である。
【図３】第１実施例における基本構成を示す概略図である。
【図４】第１実施例における、操舵制御コントローラの構成を表すブロック図である。
【図５】第１実施例における、目標値生成部の構成を表すブロック図である。
【図６】第１実施例における、目標出力値生成部の構成を表すブロック図である。
【図７】第１実施例におけるヨーレイトパラメータを表すマップである。
【図８】第１実施例におけるヨーレイトパラメータを表すマップである。
【図９】第１実施例におけるヨーレイトパラメータを表すマップである。
【図１０】第１実施例におけるヨーレイトパラメータを表すマップである。
【図１１】第１実施例におけるヨーレイトパラメータを表すマップである。
【図１２】第１実施例におけるヨーレイトパラメータを表すマップである。
【図１３】第１実施例におけるヨーレイトパラメータを表すマップである。
【図１４】第１実施例におけるヨーレイトパラメータを表すマップである。
【図１５】第１実施例における車両速度に対する後輪操舵制御比率を表すマップである。
【図１６】第１実施例における、操舵制御の制御内容を表すフローチャートである。
【図１７】従来技術におけるシミュレーション結果を表すタイムチャートである。
【図１８】第１実施例におけるシミュレーション結果を表すタイムチャートである。
【図１９】第１実施例におけるシミュレーション結果を表すタイムチャートである。
【符号の説明】
１Ｌ，１Ｒ    前輪
２    ハンドル
３Ｌ，３Ｒ    前輪操舵機構
４    ステアリングユニット
５    車体
６    弾性体
７    前輪側油圧シリンダ
８Ｌ，８Ｒ    後輪
９Ｌ，９Ｒ    後輪操舵機構
１０    後輪側油圧シリンダ
１１    油圧源ユニット
１１ａ    油圧ポンプ
１１ｂ    アンロードバルブ
１１ｃ    圧力スイッチ
１１ｄ    アキュムレータ
１１ｅ    リザーバ
１２    前輪側フェールセーフバルブ
１３    前輪側サーボバルブ
１４    後輪側フェールセーフバルブ
１５    後輪側サーボバルブ
１６    エンジン
１８，１９    サーボアンプ
２０    車速センサ
２１    操舵角センサ
２３    エンジン回転数センサ
２４    前輪側変位センサ
２５    後輪側変位センサ
２６    マスタシリンダ圧センサ
２７    ホイルシリンダ圧センサ
３０    操舵制御コントローラ
３１    目標値生成部
３２    目標出力値生成部
３４    前輪操舵コントローラ
３５    後輪操舵コントローラ
３６    ブレーキコントローラ
３７    前輪操舵アクチュエータ
３８    後輪操舵アクチュエータ
３９    ブレーキアクチュエータ
４１Ｌ，４１Ｒ，４２Ｌ，４２Ｒ    ホイルシリンダ
４３    ブレーキペダル
４４    マスタシリンダ
４５    Ｐ系統カットバルブ
４６    Ｓ系統吸入バルブ
５１    Ｐ系統吸入バルブ
５２    Ｓ系統カットバルブ
５７，５８    制御用油圧源
５９，６０    リザーバ
６１    モータ
３１１    車両モデル演算部
３１２    目標値演算部
３２１    目標後輪舵角演算部
３２２    目標前輪舵角演算部
３２３    目標ブレーキ液圧演算部
【図１】
2004148890.tif 000028
【図２】
2004148890.tif 000029
【図３】
2004148890.tif 000030
【図４】
2004148890.tif 000031
【図５】
2004148890.tif 000032
【図６】
2004148890.tif 000033
【図７】
2004148890.tif 000034
【図８】
2004148890.tif 000035
【図９】
2004148890.tif 000036
【図１０】
2004148890.tif 000037
【図１１】
2004148890.tif 000038
【図１２】
2004148890.tif 000039
【図１３】
2004148890.tif 000040
【図１４】
2004148890.tif 000041
【図１５】
2004148890.tif 000042
【図１６】
2004148890.tif 000043
【図１７】
2004148890.tif 000044
【図１８】
2004148890.tif 000045
【図１９】
2004148890.tif 000046